(57)【要約】【課題】　低音用スピーカーボックスの効率及び音声出力パワーを向上させ、また、低音用スピーカーボックスの動作周波数の範囲を広げること。【解決手段】　連動型低音用スピーカーボックスは、少なくとも２つの一体的に固定されたサブボックスを含む、連動型低音用スピーカーボックスであって、各サブボックスは互いに異なる共振周波数を有し、スピーカー用振動板の剛性連結により振動が同調する。【選択図】　　図２
2004040805.tif 000002
【特許請求の範囲】
【請求項１】
　少なくとも２つの一体的に固定されたサブボックスを含む、連動型低音用スピーカーボックスであって、各サブボックスは互いに異なる共振周波数を有し、スピーカー用振動板の剛性連結により振動が同調する、連動型低音用スピーカーボックス。
【請求項２】
　前記サブボックスは逆相式、密閉式及び音波管式のいずれかであり、２乃至４の前記サブボックスを含む、請求項１に記載のスピーカーボックス。
【請求項３】
　前記剛性連結は、前記サブボックスに設けられたスピーカーのボイスコイルと一つの平板との剛性的な連結によりなされる、請求項１又は２に記載のスピーカーボックス。
【請求項４】
　前記サブボックスのいずれかに１つの駆動器が用いられ、該駆動器を有しない他のサブボックスは点対称に配置されている、請求項１又は２に記載のスピーカーボックス。
【請求項５】
　前記剛性連結は、各サブボックスに設けられたスピーカーのボイスコイルの運動方向が同一線上になるようにして各ボイスコイルを剛性連結ロッドで連結することによる、請求項１又は２に記載のスピーカーボックス。
【発明の詳細な説明】
【技術分野】
【０００１】
　本発明は、電気音声技術に関し、特に、低音用スピーカーボックスに関する。
【背景技術】
【０００２】
　従来の低音用スピーカーボックスとして、例えば、密閉式の低音用スピーカーボックスや逆相式の低音用スピーカーボックスがある。
【０００３】
　密閉式の低音用スピーカーボックスを含むスピーカー装置の作動原理は、前記スピーカーボックスに設けられたスピーカーユニットの振動板の該板面の振動により空気を振動させて音声を生じさせるものである。このようなスピーカー装置では、その低周波数パワーの出力は、理論計算からも、また実践結果からも明らかなように、不十分である。
【０００４】
　逆相式の低音用スピーカーボックスについて、該スピーカーボックスに設けられたスピーカーユニットの振動板の該板面の振幅特性を図１に示す。前記板面の振幅は、スピーカーユニットのボイスコイルの入力がＶ０である場合、周波数がｆ２であるとき極大になる。前記極大のときの前記板面の振幅の値はｈ２であり、スピーカーの出力振幅の限界となる。
【０００５】
　周波数ｆ１点での振動板面の振幅は、逆相ポートの負荷が非常に大きいことから、極小になり、その値はｈ１である。このとき、スピーカーユニットのボイスコイルの振動速度が低くなり、熱発散能力すなわち熱放射性が小さくなる。熱発生が大きくかつ熱発散が小さいことは、スピーカーの出力及び熱発生について不都合を生じる。逆相ポートが共振するとき、スピーカーの駆動力に大きな負荷が加えられる。逆相式の低音用スピーカーボックスに用いられるスピーカーユニットの振動板の面積は、大きければ大きいほど良いというものではない。前記駆動力の整合化及び前記駆動力と最大パワー出力との間の最適化についての問題がある。現有の技術では、前記した問題は解決されない。
【発明の開示】
【発明が解決しようとする課題】
【０００６】
　本発明の目的は、従来の低音用スピーカーボックスにおける不都合な点を克服し、連動型低音用スピーカーボックスを提供することにある。すなわち、低音用スピーカーボックスの効率及び音声出力パワーを向上させ、また、低音用スピーカーボックスの動作周波数の範囲を広げることにある。
【課題を解決するための手段】
【０００７】
　本発明に係る連動型低音用スピーカーボックスは、少なくとも２つの一体的に固定されたサブボックスを含む、連動型低音用スピーカーボックスであって、各サブボックスは互いに異なる共振周波数を有し、スピーカー用振動板の剛性連結により振動が同調する。
【０００８】
　前記サブボックスは逆相式、密閉式及び音波管式のいずれかであり、２乃至４の前記サブボックスを含むことができ、異なる方式のサブボックスを混用することができる。
【０００９】
　好ましくは、前記剛性連結は、前記サブボックスに設けられたスピーカーのボイスコイルと剛性を有する一つの大型平板との剛性的な連結によりなされる。これにより、振動同調がなされる。前記サブボックスの振動板は、剛性を有する１つの大型平板と等価である。
【００１０】
　好ましくは、前記サブボックスのいずれかに１つの駆動器が用いられる。この場合において、各サブボックスの技術的状態が異なるので、該駆動器を有しない他のサブボックスは点対称に配置されている。これにより、剛性連結後の振動板の平行振動が確かなものになる。
【００１１】
　好ましくは、前記剛性連結は、各サブボックスに設けられたスピーカーのボイスコイルの運動方向が同一線上になるようにして各ボイスコイルを剛性連結ロッドで連結することによる。これにより、各振動板に同調振動を生じさせる。
【発明の効果】
【００１２】
　本発明によれば、各サブボックスの振動板の同調振動が実現され、各サブボックスの総駆動力及び振動板の最大能力が発揮され、低音用スピーカーボックスの効率及び音声出力パワーを向上させ、また、低音用スピーカーボックスの動作周波数の範囲を広げる。
【発明を実施するための最良の形態】
【００１３】
　図２に示す実施例においては、連動型低音用スピーカーボックスは、３つのサブボックス、すなわち、空間Ａを含むサブボックス、空間Ｂを含むサブボックス及び空間Ｃを含むサブボックス（以下、それぞれ「サブボックスＡ」、「サブボックスＢ」及び「サブボックスＣ」という。）を含む。各サブボックスに設けられたスピーカーユニットの振動板は、同一平面上にあるように配置されている。各スピーカーユニットのボイスコイル４は、剛性を有する１つの大型平板５に連結されており、この連結により、振動が同調する。弾性気密部品リンク１は、大型平板５と振動板フレーム３との間に配置され、それぞれを隔離するように密閉している。
【００１４】
　図３に示す実施例は、図２に示す実施例の変形例である。サブボックスＢは、逆相ポート６を有する逆相式のサブボックスである。３つのサブボックスのために１つのみの駆動器が用いられている。前記駆動器はサブボックスＢに設けられており、サブボックスＡ及びＣには駆動器が設けられていない。ボイスコイル４に連結された振動可能の大型平板５の振動を確かなものにするために、サブボックスＡ及びＣは点対称になるように配置されている。
【００１５】
　図４に示す実施例においては、２つの振動板が直線上にて剛性連結されている。サブボックスＡ及びＢの各スピーカーユニットは、同一の基板９に固定されている。剛性連結ロッド８によって、サブボックスＡのボイスコイル４とサブボックスＢのボイスコイル４とが連結されている。サブボックスＡとサブボックスＢとは、固定フレーム７によって固定されている。各ボイスコイル４の駆動の運動方向が同一直線上にあり、これにより、各振動板は互いに同調して振動する。
【図面の簡単な説明】
【００１６】
【図１】逆相式スピーカーボックスに設けられたスピーカーの振動板の該板面の振幅特性を示す図。
【図２】本発明に係る連動型低音用スピーカーボックスの一実施例を示し、振動板の剛性連結を示す図。
【図３】本発明に係る連動型低音用スピーカーボックスの他の実施例を示し、３つのサブボックスと１つの駆動器とを示す図。
【図４】本発明に係る連動型低音用スピーカーボックスの他の実施例を示し、振動板の同一線上での剛性連結を示す図。
【符号の説明】
【００１７】
　１　弾性気密部品リンク
　２　駆動連結点
　３　振動板フレーム
　４　ボイスコイル
　５　剛性大型平板
　６　逆相ポート
　７　固定フレーム
　８　固定連結ロッド
　９　基板
【図１】
2004040805.tif 000003
【図２】
2004040805.tif 000004
【図３】
2004040805.tif 000005
【図４】
2004040805.tif 000006